(57)【要約】      （修正有）【課題】人手と時間を節減でき、人為的な入力による誤差を回避し、検査の正確性を高め、分析効果を増進し、さらに検査過程の効率を高め、自動化を達成し、検査結果の誤読を減らすことができるテストテーブル或いはテストカップを提供する。【解決手段】テストテーブル１００は、ベース殻１０を備え、ベース殻中には、テストストリップ４０、データ保存ユニット５０を結合する。テストカップは、カップ体と、テストストリップと、データ保存ユニットを備える。ベース殻とカップ体は、サンプル投入口２１及び検視口２２を備える。テストスリップは、呈色セクション４１を備える。【選択図】図１
0003160317.tif 000002
【実用新案登録請求の範囲】
【請求項１】
ベース殻、少なくとも１本のテストストリップ、データ保存ユニットを備え、
前記ベース殻は、サンプルを注入するサンプル投入口、及び検視口を備え、
前記少なくとも１本のテストストリップは、前記ベース殻内の所定位置に結合し、前記テストストリップは、呈色セクションを備え、前記テストストリップの呈色セクションは、前記ベース殻の検視口に対応し、しかも前記テストストリップの一端は、前記ベース殻のサンプル投入口に対応し、
前記データ保存ユニットは、前記ベース殻の所定位置に結合し、前記データ保存ユニットは、前記テストストリップに関する検査データを保存することを特徴とするテストテーブル。
【請求項２】
前記データ保存ユニットは、RFIDタグ、磁気テープ、或いはチップであることを特徴とする請求項１に記載のテストテーブル。
【請求項３】
前記データ保存ユニットが保存する検査データは、検視口数パラメーター、検視口サイズパラメーター、検査装置サイズパラメーター、検査成分項目パラメーター、検査項目校正曲線、陰/陽性判定閾値パラメーターを含むことを特徴とする請求項１に記載のテストテーブル。
【請求項４】
前記サンプルと、前記テストストリップの呈色セクションが反応を生じた時には、前記呈色セクションは、所定の色の呈色結果を表示することを特徴とする請求項１に記載のテストテーブル。
【請求項５】
前記テストストリップは、前記検視口が備える呈色制御セクションに対応し、
サンプルと前記呈色制御セクションとが反応すると、前記呈色制御セクションは、所定の色を表示し、これにより前記呈色制御セクションの呈色結果が有効であることを確認することを特徴とする請求項４に記載のテストテーブル。
【請求項６】
前記ベース殻は、上蓋、基盤が合わさって組成することを特徴とする請求項１に記載のテストテーブル。
【請求項７】
前記テストテーブルの上蓋には、複数の気孔を形成することを特徴とする請求項６に記載のテストテーブル。
【請求項８】
前記データ保存ユニットは、データを書き込むことができるデータ保存ユニットであることを特徴とする請求項１に記載のテストテーブル。
【請求項９】
テストカップは、カップ体、少なくとも１本のテストストリップ、データ保存ユニットを備え、
前記カップ体は、サンプルを注入するサンプル投入口、及び検視口を備え、
前記少なくとも１本のテストストリップは、前記カップ体の所定位置に結合し、前記テストストリップは、呈色セクションを備え、前記カップ体の検視口より、前記テストストリップの呈色セクションを検視し、
前記データ保存ユニットは、前記ベース殻の所定位置に結合し、前記データ保存ユニットは、前記テストストリップに関する検査データを保存することを特徴とするテストカップ。
【請求項１０】
前記データ保存ユニットは、RFIDタグ、磁気テープ、或いはチップであることを特徴とする請求項９に記載のテストカップ。
【請求項１１】
前記検査成分と、前記テストストリップの呈色セクションが反応を生じた時には、前記呈色セクションは、所定の色の呈色結果を表示することを特徴とする請求項９に記載のテストカップ。
【請求項１２】
前記テストストリップは、前記検視口が備える呈色制御セクションに対応し、
サンプルと前記呈色制御セクションとが反応すると、前記呈色制御セクションは、所定の色を表示し、これにより前記呈色制御セクションの呈色結果が有効であることを確認することを特徴とする請求項１１に記載のテストカップ。
【請求項１３】
前記カップ体は、外カップに、内カップを嵌めて形成することを特徴とする請求項９に記載のテストカップ。
【請求項１４】
前記テストストリップは、前記テストカップの内カップに結合することを特徴とする請求項１３に記載のテストカップ。
【請求項１５】
前記データ保存ユニットは、データを書き込むことができるデータ保存ユニットであることを特徴とする請求項９に記載のテストカップ。
【考案の詳細な説明】
【技術分野】
【０００１】
本考案は特定成分を検査する検査装置に関し、特にデータ保存ユニットを結合するテストテーブル或いはテストカップに関する。
【背景技術】
【０００２】
現代社会において、生物医学的検査技術の応用領域は、どんどん広がっており、今や病院での健康診断、スポーツ大会での禁止薬物検査、さらには、警察が容疑者の薬物摂取の有無を確認する際にまで、生物医学的検査技術は用いられている。容疑者の尿の検査を例とすると、警察は通常はGC-MS(ガスクロマトグラフ質量分析器)を使用し、容疑者が、アンフェタミン、メタンフェタミン、モルヒネ、ヘロインなどの麻薬或いは禁止薬物を摂取していないかどうかを検査する。質量分析器による分析は、精度が高いという長所を備えるが、同時に時間がかかり、コストが高く、チューブの洗浄が必要で、多くの人手を要するという欠点もある。近年では、検査の適時性を改善するため、検査試薬を含むテストストリップを用いて、各種ウィルス、細菌、SARSなどの未知のウィルス、各種のアレルゲン、禁止薬物などを迅速に検査できるようになっており、この方法は迅速で、コスト低廉で、精確であるという効果を備える。さらには、大量検査と精確な分析を確実にするため、テストストリップ上反応線の色の濃さ判断を、人に代わり分析器を利用して行い、光の信号により試薬上の物品の種類を判読し、サンプル中にどのような成分が含まれているかを直ちに分析することができるようになっている。しかし、従来の技術では、分析器はテストストリップの検査項目、成分などの条件を直接測定することはできず、またさまざまなサイズ、規格のテストストリップ(テストテーブル、テストカップなどを含む)に自動的に対応して、測定を行うこともできない。よって、さまざまなタイプのテストストリップを使用する時には、先に、分析器の各項パラメーターを設定する必要があるため、使用においては時間の浪費である。しかも、パラメーター設定に偏差があった場合にも、分析器自らが、それに対応して調整することはできないため、検査、測定結果の正確性に影響を及ぼす恐れがある。本考案は、従来のテストテーブルの上記した欠点に鑑みてなされたものである。
【考案の概要】
【考案が解決しようとする課題】
【０００３】
本考案が解決しようとする第一の課題は、データ保存ユニットを結合するテストテーブルを提供することである。
本考案が解決しようとする第二の課題は、データ保存ユニットを結合するテストカップを提供することである。
【課題を解決するための手段】
【０００４】
上記課題を解決するため、本考案は下記のテストテーブル或いはテストカップを提供する。
テストテーブルは、ベース殻を備え、
該ベース殻は、上蓋、基盤が合わさって組成し、
該上蓋は、サンプル投入口、検視口を形成し、
該サンプル投入口からは、サンプルを注入し、該検視口から検査結果を検視し、
該ベース殻の上蓋には、複数の気孔を形成し、該気孔によりサンプルの吸収を加速し、
該ベース殻中には、テストストリップ、データ保存ユニットを設置し、
該データ保存ユニットは、RFIDタグ、磁気テープ、或いはチップで、
該データ保存ユニットは、検視口数パラメーター、検視口サイズパラメーター、検査装置サイズパラメーター、検査成分項目パラメーター、検査項目校正曲線、陰/陽性判定閾値パラメーターを含む該テストストリップに関する検査データを保存し、
この種のテストテーブルを利用し、自動分析器を用いて自動検査を行う時には、内蔵するRFIDタグにより、該テストテーブルに関する各項パラメーターを読み取り書き込んだ後、検査しようとする検視口数、検視口サイズ、テストテーブルのサイズ、検査成分項目、検査項目校正曲線、陰/陽性判定閾値などを自動的に設定することができ、
自動分析器により、該テストストリップの呈色セクションの色を分析し、影像分析判定を行い、検査しようとする成分の検査結果を得ることができ、
テストカップは、カップ体とカップ蓋を備え、
該カップ体は、外カップに内カップを嵌めて形成し、
テストカップの内カップ上には、複数のテストストリップとデータ保存ユニットを設置し、
該外カップには、サンプル投入口を形成し、サンプルを注入し、
該内カップには、検視口を形成し、使用者或いは分析器は、透明な外カップを通して、該内カップ上のテストストリップの検査結果を直接検視でき、
該データ保存ユニットが保存する検査データ、及び自動分析器に対応して自動検査を行う方式は、共に該テストテーブルと同様である。
【考案の効果】
【０００５】
本考案テストテーブル或いはテストカップは、自動分析設備と対応させることで、データ保存ユニット中の検査データを自動的に読み取り書き込むことができるため、自動分析設備のパラメーターを人手により設定することでかかる時間を省くことができ、人為入力による誤差を回避可能で、検査の正確性を高め、自動分析設備の分析効果を増進し、さらに検査過程の効率を高め、自動化を達成し、検査結果の誤読を減らすことができる。
【図面の簡単な説明】
【０００６】
【図１】本考案第一実施例テストテーブルの分解立体図である。
【図２】本考案第一実施例テストテーブルの組合せ立体図である。
【図３】本考案第一実施例テストテーブルにおいて、データ保存ユニットが保存する検査データのデータ表である。
【図４】本考案第一実施例テストテーブルと自動分析設備を組み合わせて使用する様子を示す模式図である。
【図５】本考案第二実施例テストテーブルの組合せ立体図である。
【図６】本考案第三実施例テストカップの分解立体図である。
【図７】本考案第三実施例テストカップの組合せ立体図である。
【考案を実施するための形態】
【０００７】
以下に図面を参照しながら本考案を実施するための最良の形態について詳細に説明する。
【実施例】
【０００８】
本考案第一実施例テストテーブル１００の分解立体図である図１、本考案第一実施例テストテーブル１００の組合せ立体図である図２に示すように、本考案第一実施例のテストテーブル１００は、ベース殻１０を備える。ベース殻１０は、上蓋２０、基盤３０が合わさって組成する。しかも、ベース殻１０中には、テストストリップ４０、データ保存ユニット５０を設置する。本実施例中には、単一のテストストリップ４０だけを設置するとして説明するが、これに限定するものではなく、多数のテストストリップ４０を設置し、多種の異なる成分の検査を同時に行うこともできる。本実施例のデータ保存ユニット５０は、RFIDタグであるが、これに限定するものではなく、磁気テープ、或いはチップなどの相同の機能を備える感知式データ保存ユニットとすることができる。しかも、その設置位置も、ベース殻１０内部に限定するものではなく、ベース殻１０表面、或いは信号の受信/発信に影響を及ぼすことがない任意の適当な位置に設置することができる。
【０００９】
ベース殻１０の上蓋２０は、サンプル投入口２１、検視口２２を形成する。サンプル投入口２１からは、サンプルを注入し、検視口２２から検査結果を検視する。
【００１０】
本実施例において、テストストリップ４０とデータ保存ユニット５０は、ベース殻１０の基盤３０内の所定の位置に、それぞれ結合する。テストストリップ４０の一端は、ベース殻１０のサンプル投入口２１に対応し、注入されたサンプルを吸入する。テストストリップ４０は、呈色セクション４１、呈色制御セクション４２を備える。呈色セクション４１と呈色制御セクション４２との位置は、ベース殻１０の検視口２２に対応する。注入されたサンプルを吸収し、それが測定しようとする所定の成分を含む際には、呈色セクション４１を通過する時に、反応を生じる。この時、呈色セクション４１は、所定の色の呈色を示す。また、呈色制御セクション４２は、呈色セクション４１の制御部で、サンプルが呈色制御セクション４２を通過しても反応が発生しない場合には、呈色制御セクション４２には、所定の色が現れる。すなわち、呈色セクション４１の呈色結果が有効であることを確認することができる。
【００１１】
本考案第一実施例テストテーブルにおいて、データ保存ユニット５０が保存する検査データ５１のデータ表である図３に示すように、データ保存ユニット５０中には、テストストリップ４０に関する検視口数パラメーター５１０、検視口サイズパラメーター５１１、検査装置サイズパラメーター５１２、検査成分項目パラメーター５１３、検査項目校正曲線５１４、陰/陽性判定閾値パラメーター５１５を含む検査データ５１を保存する。
【００１２】
本考案第一実施例テストテーブルと自動分析設備を組み合わせて使用する様子を示す模式図である図４に示すように、自動分析器５２を利用して自動的に検査を行う時には、自動分析器５２が内蔵するRFIDタグが、上記の各パラメーターを読み込んだ後、検査しようとする検視口数、検視口サイズ、検査装置の大きさ、検査成分項目(薬物成分など)、検査項目校正曲線、陰/陽性判定閾値を自動的に設定する。さらに、自動分析器５２により、テストストリップ４０の呈色セクション４１の色を分析し、影像の分析判定を行い、検査しようとする成分の検査結果を得る。また、検査結果を、データ保存ユニット５０内に書き込むことで、その後の必要(検査結果を遺失した時など)に応じて、同一のテストテーブルを取り出し、読み取りを行い、以前の検査結果をすぐに表示することができる。
【００１３】
本考案第二実施例テストテーブル１００aの組合せ立体図である図５に示すように、第二実施例テストテーブル１００aは、第一実施例の構造とおおよそ相同であるため、詳述しない。両者の主要な差異は、本実施例のベース殻１０の上蓋２０にはさらに、複数の気孔２３を形成することである。複数の気孔２３により、サンプルの吸収を加速することができる。
【００１４】
本考案第三実施例テストカップの分解立体図である図６、本考案第三実施例テストカップの組合せ立体図である図７に示すように、本考案第三実施例テストカップ２００は、カップ体６０、カップ蓋７０を備える。カップ体６０は、外カップ６１を内カップ６２に嵌めて形成する。テストカップ２００の内カップ６２上には、複数のテストストリップ４０とデータ保存ユニット５０を設置する。外カップ６１は、サンプル投入口２１を備え、これによりサンプルを注入することができる。内カップ６２は、検視口２２を備え、これにより使用者或いは分析器は、透明な外カップ６１を通して、内カップ６２上のテストストリップ４０の検査結果を直接検視することができる。テストカップ２００のテストストリップ４０とデータ保存ユニット５０とは、構造組成、機能共に、上記した実施例と相同であるため、詳述しない。テストカップ２００は、同様に、自動分析器(図示なし)に対応して自動検査を行うことができる。テストカップ２００の実施例は、尿検査などの大量のサンプル分析により適しているが、上記実施例と同様に、便利、迅速、自動分析という各種効果を備える。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は実用新案の要件である新規性を備え、従来の同類製品に比べ十分な進歩を有し、実用性が高く、社会のニーズに合致しており、産業上の利用価値は非常に大きい。
【符号の説明】
【００１７】
１００、１００a  テストテーブル
２００  テストカップ
１０  ベース殻
２０  上蓋
２１  サンプル投入口
２２  検視口
２３  気孔
３０  基盤
４０  テストストリップ
４１  呈色セクション
４２  呈色制御セクション
５０  データ保存ユニット
５１  検査データ
５２  自動分析器
５１０  検視口数パラメーター
５１１  検視口サイズパラメーター
５１２  検査装置サイズパラメーター
５１３  検査成分項目パラメーター
５１４  検査項目校正曲線
５１５  陰/陽性判定閾値パラメーター
６０  カップ体
６１  外カップ
６２  内カップ
７０  カップ蓋
【図１】
0003160317.tif 000003
【図２】
0003160317.tif 000004
【図３】
0003160317.tif 000005
【図４】
0003160317.tif 000006
【図５】
0003160317.tif 000007
【図６】
0003160317.tif 000008
【図７】
0003160317.tif 000009
【手続補正書】
【提出日】平成22年4月8日(2010.4.8)
【手続補正１】
【補正対象書類名】実用新案登録請求の範囲
【補正対象項目名】請求項９
【補正方法】変更
【補正の内容】
【請求項９】
テストカップは、カップ体、少なくとも１本のテストストリップ、データ保存ユニットを備え、
前記カップ体は、サンプルを注入するサンプル投入口、及び検視口を備え、
前記少なくとも１本のテストストリップは、前記カップ体の所定位置に結合し、前記テストストリップは、呈色セクションを備え、前記カップ体の検視口より、前記テストストリップの呈色セクションを検視し、
前記データ保存ユニットは、ベース殻の所定位置に結合し、前記データ保存ユニットは、前記テストストリップに関する検査データを保存することを特徴とするテストカップ。
【手続補正２】
【補正対象書類名】実用新案登録請求の範囲
【補正対象項目名】請求項１１
【補正方法】変更
【補正の内容】
【請求項１１】
検査成分と、前記テストストリップの呈色セクションが反応を生じた時には、前記呈色セクションは、所定の色の呈色結果を表示することを特徴とする請求項９に記載のテストカップ。